(57)【要約】【課題】放送による広告、宣伝において、受信機を経由して携帯端末に、広告コンテンツと共にデジタルコンテンツを配信することができるデジタルコンテンツ配信システム及びデジタルコンテンツ配信方法を提供する。【解決手段】デジタルコンテンツ配信システム及びデジタルコンテンツ配信方法において、放送波を用いて放送される広告コンテンツとデジタルコンテンツデータを受信機２ａで受信し、前記デジタルコンテンツデータに含まれるリンク情報を基に、デジタルコンテンツ配信に対応して広告コンテンツを視聴者に対して表示する際、その表示に同期してデジタルコンテンツを携帯端末３ａに配信する。【選択図】　　　図１
2004056666.tif 000002
【特許請求の範囲】
【請求項１】
放送波を用いて、広告コンテンツ、デジタルコンテンツ、及び該広告コンテンツと該デジタルコンテンツ間のリンク情報を放送する放送局と、
前記放送波を受信する受信手段と、前記広告コンテンツを表示する表示手段と、前記デジタルコンテンツ、及び前記リンク情報を記憶する一時記憶手段と、前記リンク情報を参照し、前記広告コンテンツの表示に同期して、前記デジタルコンテンツを配信するよう配信を起動する配信起動手段と、前記配信起動手段の指示に従い、前記デジタルコンテンツを携帯端末に配信するデータ配信手段と、を有する受信機と、
前記データ配信手段から配信される前記デジタルコンテンツを受信するよう前記受信機と通信を行う受信機用通信手段を有する携帯端末と、を備えた、
ことを特徴としたデジタルコンテンツ配信システム。
【請求項２】
請求項１記載のデジタルコンテンツ配信システムにおいて、
前記携帯端末は、
接続網を介して外部のサーバーと通信する外部通信手段と、
前記サーバーに保存されているデジタルコンテンツ配信時刻、指定チャネル、及び前記デジタルコンテンツの情報を参照して、希望のデジタルコンテンツ配信時刻、及び指定チャネルの情報を前記サーバーから取得し、前記受信機に対して前記デジタルコンテンツ配信時刻、及び前記指定チャネルにおける前記デジタルコンテンツの配信予約を行う配信予約手段と、をさらに有し、
前記受信機は、
前記携帯端末からの配信予約を受け付け、予約されたデジタルコンテンツ配信時刻において、前記受信手段に対して前記広告コンテンツの受信を指示し、前記配信起動手段に対して前記デジタルコンテンツの配信処理の起動を指示する配信予約制御手段をさらに有する、
ことを特徴とするデジタルコンテンツ配信システム。
【請求項３】
請求項２記載のデジタルコンテンツ配信システムにおいて、
前記受信機は、
配信予約時刻になった時、あるいは該配信予約時刻の前に、画面表示またはアラームにより配信予約時刻である旨を表示する配信予約時刻表示手段をさらに有する、
ことを特徴とするデジタルコンテンツ配信システム。
【請求項４】
請求項２記載のデジタルコンテンツ配信システムにおいて、
前記受信機は、
配信予約時刻になった時、あるいは該配信予約時刻の前に、前記携帯端末に対し、該配信予約時刻である旨を通知する配信予約時刻通知手段をさらに有する、
ことを特徴とするデジタルコンテンツ配信システム。
【請求項５】
請求項１記載のデジタルコンテンツ配信システムにおいて、
前記放送局は、放送波を用いて視聴者に携帯端末の操作を促す手順プログラムをさらに放送し、
前記受信機は、
前記手順プログラムに記述された携帯端末の操作を促すメッセージを前記表示手段に表示する旨を指示し、また、視聴者が前記携帯端末から前記メッセージを受け取って該メッセージによる指示に従った場合にのみ前記デジタルコンテンツの配信を許可する配信手続き操作手段をさらに有し、
前記一次記憶手段は、前記手順プログラムを記憶し、
前記表示手段は、視聴者がデジタルコンテンツ配信時刻に指定チャネルを視聴している場合、前記配信手続き操作手段からの前記メッセージを表示する、
ことを特徴とするデジタルコンテンツ配信システム。
【請求項６】
請求項１記載のデジタルコンテンツ配信システムにおいて、
前記携帯端末は、
該携帯端末の認証番号を保持する認証番号保持手段をさらに有し、
前記受信機は、
前記デジタルコンテンツの配信を行う対象の携帯端末の認証番号を登録する認証番号登録手段と、
前記認証番号登録手段に登録された認証番号と、前記携帯端末が持つ認証番号とが一致した場合に、前記デジタルコンテンツの配信を行う対象の携帯端末を限定する携帯端末限定手段と、をさらに有する、
ことを特徴とするデジタルコンテンツ配信システム。
【請求項７】
請求項６記載のデジタルコンテンツ配信システムにおいて、
前記認証番号は、前記携帯端末に固有の番号、あるいは番号と文字の組み合わせである、
ことを特徴とするデジタルコンテンツ配信システム。
【請求項８】
請求項６記載のデジタルコンテンツ配信システムにおいて、
前記携帯端末が持つ認証番号は、任意の番号、あるいは番号と文字の組み合わせが登録可能である、
ことを特徴とするデジタルコンテンツ配信システム。
【請求項９】
請求項１記載のデジタルコンテンツ配信システムにおいて、
前記携帯端末は、
前記デジタルコンテンツの配信を受けるための配信権利情報を保持する配信権利情報保持手段をさらに有し、
前記受信機は、
前記携帯端末から前記配信権利情報を取得し、また、前記放送局から前記携帯端末が配信権利を保有するか否かを確認するための配信権利確認情報を入手し、
該配信権利情報と該配信権利確認情報が整合するか否かを調べ、前記携帯端末が前記配信権利を保有する場合、前記デジタルコンテンツの配信を許可する配信権利確認手段をさらに有する、
ことを特徴とするデジタルコンテンツ配信システム。
【請求項１０】
請求項９記載のデジタルコンテンツ配信システムにおいて、
前記デジタルコンテンツ配信権利情報は、前記携帯端末が前記接続網を介して前記サーバーと通信し取得される情報である、
ことを特徴とするデジタルコンテンツ配信システム。
【請求項１１】
請求項１記載のデジタルコンテンツ配信システムにおいて、
前記携帯端末は、
前記広告コンテンツの視聴毎に、前記受信機から視聴回数更新指示を受け取り、広告視聴回数をカウントする視聴回数カウント手段をさらに有し、
前記受信機は、
外部のサーバーから広告視聴規定回数を受信し、前記携帯端末に前記視聴回数更新指示を出して、前記携帯端末が保持する前記広告視聴回数が前記広告視聴規定回数に達している場合にのみ、デジタルコンテンツの配信を許可する配信許可手段をさらに有する、
ことを特徴とするデジタルコンテンツ配信システム。
【請求項１２】
請求項１記載のデジタルコンテンツ配信システムにおいて、
前記受信機と前記携帯端末は、無線通信を行う、
ことを特徴とするデジタルコンテンツ配信システム。
【請求項１３】
放送波を用いて、広告コンテンツ、及びデジタルコンテンツを放送し、
受信機により前記放送波を受信し、前記広告コンテンツを視聴者に対して表示すると共に、前記広告コンテンツの表示に同期して、前記デジタルコンテンツを携帯端末に配信し、
前記携帯端末において前記受信機と通信を行い、前記デジタルコンテンツを受信し表示する、
ことを特徴としたデジタルコンテンツ配信方法。
【請求項１４】
請求項１３記載のデジタルコンテンツ配信方法において、
前記携帯端末にて接続網を介して外部のサーバーと通信し、希望のデジタルコンテンツ配信時刻、及び指定チャネルを取得して、前記受信機に対して前記デジタルコンテンツ配信時刻、及び前記指定チャネルにおける前記デジタルコンテンツの配信予約を行う、
ことを特徴とするデジタルコンテンツ配信方法。
【請求項１５】
請求項１４記載のデジタルコンテンツ配信方法において、
前記受信機にて、配信予約時刻になった時、あるいは該配信予約時刻の前に、画面表示またはアラームにより該配信予約時刻である旨を通知する、
ことを特徴とするデジタルコンテンツ配信方法。
【請求項１６】
請求項１４記載のデジタルコンテンツ配信方法において、
前記受信機にて、配信予約時刻になった時、あるいは該配信予約時刻の前に、前記携帯端末に対して、該配信予約時刻である旨を通知する、
ことを特徴とするデジタルコンテンツ配信方法。
【請求項１７】
請求項１３記載のデジタルコンテンツ配信方法において、
前記受信機にて、画面表示あるいはアラームにより前記携帯端末の操作を促すメッセージを視聴者に通知し、該メッセージによる指示に従った場合にのみ前記デジタルコンテンツの配信を行う、
ことを特徴とするデジタルコンテンツ配信方法。
【請求項１８】
請求項１３記載のデジタルコンテンツ配信方法において、
前記携帯端末を認証するための認証番号を前記受信機に登録し、前記受信機に登録された認証番号と、前記携帯端末が持つ認証番号とが一致した場合に、前記受信機にて前記デジタルコンテンツの配信を行う、
ことを特徴とするデジタルコンテンツ配信方法。
【請求項１９】
請求項１８記載のデジタルコンテンツ配信方法において、
前記認証番号は、前記携帯端末に固有の番号、あるいは番号と文字の組み合わせである、
ことを特徴とするデジタルコンテンツ配信方法。
【請求項２０】
請求項１８記載のデジタルコンテンツ配信方法において、
前記携帯端末が持つ認証番号は、任意の番号、あるいは番号と文字の組み合わせが登録可能である、
ことを特徴とするデジタルコンテンツ配信方法。
【請求項２１】
請求項１３記載のデジタルコンテンツ配信方法において、
前記携帯端末にて接続網を介して外部のサーバーと通信してデジタルコンテンツの配信を受けるための配信権利情報を取得し、前記受信機にて前記携帯端末から配信権利を保有するか否かを確認するための配信権利確認情報を取得し、前記配信権利情報と前記配信権利確認情報を整合して前記携帯端末が前記配信権利を保有する場合、前記デジタルコンテンツの配信を行う、
ことを特徴とするデジタルコンテンツ配信方法。
【請求項２２】
請求項２１記載のデジタルコンテンツ配信方法において、
前記デジタルコンテンツ配信権利情報は、前記携帯端末が接続網を介してサーバーと通信し取得される情報である、
ことを特徴とするデジタルコンテンツ配信方法。
【請求項２３】
請求項１３記載のデジタルコンテンツ配信方法において、
前記携帯端末にて、前記広告コンテンツの視聴毎に前記受信機から視聴回数更新指示を受け取って広告視聴回数をカウントし、該広告視聴回数が外部のサーバーから受信した広告視聴規定回数に達している場合にのみ、デジタルコンテンツの配信を受ける、
ことを特徴とするデジタルコンテンツ配信方法。
【請求項２４】
請求項１３記載のデジタルコンテンツ配信方法において、
前記受信機と前記携帯端末は、無線通信を行う、
ことを特徴とするデジタルコンテンツ配信方法。
【発明の詳細な説明】
【０００１】
【発明の属する技術分野】
本発明は、デジタルコンテンツ配信システム及びデジタルコンテンツ配信方法に関し、特に携帯型の電話機や端末に対する音楽や画像などのデータを配信するデジタルコンテンツ配信システム及びデジタルコンテンツ配信方法に関する。
【０００２】
【従来の技術】
従来から商品やサービスの宣伝、広告手段として、テレビジョン放送やラジオ放送が利用されている。宣伝や広告のコンテンツを放送で配信することにより、広告主は商品やサービスの販売促進効果を得て、放送事業者は放送事業収益を得ることができる。したがって、視聴者の視聴を促すために、宣伝、広告コンテンツに人気タレントを起用したり、宣伝、広告コンテンツ自体を視聴者の興味を引く内容にしたり、また、宣伝、広告コンテンツを放送する番組において視聴率の高いコンテンツを選んだり、視聴率の高い放送時間を選ぶなどの方法をとることが一般的である。
【０００３】
また、更に視聴者の視聴意欲を高める為に、プレゼント応募の情報を配信して、視聴者に商品や販売促進グッズをプレゼントすることも効果的な宣伝広告手段として行われている。
【０００４】
一方、携帯型端末の代表でもある携帯電話の普及に伴い、着信メロディーや待ち受け画像にも様々なコンテンツがある。例えば、宣伝や広告に利用するキャラクタやタレント等の画像を待ち受け画像にすることや、ＣＭソング等を着信メロディーにすることも可能になっている。新しい広告手法として、インターネットを用いてアクセス可能な宣伝や広告の為のサーバーを用意することにより、ユーザがインターネット経由でサーバーにアクセスすると、それらのコンテンツのダウンロードサービスを提供され、宣伝や広告コンテンツを閲覧する方法もある。
【０００５】
【発明が解決しようとする課題】
しかしながら、上記従来のデジタルコンテンツ配信システム及びデジタルコンテンツ配信方法によれば、テレビジョン放送やラジオ放送による宣伝や広告手段は、番組コンテンツの視聴者が自ら広告コンテンツを選択しなければ、宣伝、広告効果が得られないという問題があった。
また、インターネットを利用した宣伝や広告手段は、インターネットの利用者が自ら、宣伝、広告コンテンツを掲載したホームページをアクセスしなければ、宣伝、広告効果が得られないという問題があった。
【０００６】
本発明は、上記のような従来の問題点を解決するためになされたもので、広告コンテンツと共にデジタルコンテンツを配信するサービスを提供することにより、宣伝、広告効果を得ることができるデジタルコンテンツ配信システム及びデジタルコンテンツ配信方法を得ることを目的とする。
【０００７】
【課題を解決するための手段】
上記課題を解決するために、本発明の請求項１によるデジタルコンテンツ配信システムは、放送波を用いて、広告コンテンツ、デジタルコンテンツ、及び該広告コンテンツと該デジタルコンテンツ間のリンク情報を放送する放送局と、前記放送波を受信する受信手段と、前記広告コンテンツを表示する表示手段と、前記デジタルコンテンツ、及び前記リンク情報を記憶する一時記憶手段と、前記リンク情報を参照し、前記広告コンテンツの表示に同期して、前記デジタルコンテンツを配信するよう配信を起動する配信起動手段と、前記配信起動手段の指示に従い、前記デジタルコンテンツを携帯端末に配信するデータ配信手段と、を有する受信機と、前記データ配信手段から配信される前記デジタルコンテンツを受信するよう前記受信機と通信を行う受信機用通信手段を有する携帯端末と、を備えるようにしたものである。
【０００８】
本発明の請求項２によるデジタルコンテンツ配信システムは、請求項１記載のデジタルコンテンツ配信システムにおいて、前記携帯端末は、接続網を介して外部のサーバーと通信する外部通信手段と、前記サーバーに保存されているデジタルコンテンツ配信時刻、指定チャネル、及び前記デジタルコンテンツの情報を参照して、希望のデジタルコンテンツ配信時刻、及び指定チャネルの情報を前記サーバーから取得し、前記受信機に対して前記デジタルコンテンツ配信時刻、及び前記指定チャネルにおける前記デジタルコンテンツの配信予約を行う配信予約手段と、をさらに有し、前記受信機は、前記携帯端末からの配信予約を受け付け、予約されたデジタルコンテンツ配信時刻において、前記受信手段に対して前記広告コンテンツの受信を指示し、前記配信起動手段に対して前記デジタルコンテンツの配信処理の起動を指示する配信予約制御手段をさらに有するようにしたものである。
【０００９】
本発明の請求項３によるデジタルコンテンツ配信システムは、請求項２記載のデジタルコンテンツ配信システムにおいて、前記受信機は、配信予約時刻になった時、あるいは該配信予約時刻の前に、画面表示またはアラームにより配信予約時刻である旨を表示する配信予約時刻表示手段をさらに有するようにしたものである。
【００１０】
本発明の請求項４によるデジタルコンテンツ配信システムは、請求項２記載のデジタルコンテンツ配信システムにおいて、前記受信機は、配信予約時刻になった時、あるいは該配信予約時刻の前に、前記携帯端末に対し、該配信予約時刻である旨を通知する配信予約時刻通知手段をさらに有するようにしたものである。
【００１１】
本発明の請求項５によるデジタルコンテンツ配信システムは、請求項１記載のデジタルコンテンツ配信システムにおいて、前記放送局は、放送波を用いて視聴者に携帯端末の操作を促す手順プログラムをさらに放送し、前記受信機は、前記手順プログラムに記述された携帯端末の操作を促すメッセージを前記表示手段に表示する旨を指示し、また、視聴者が前記携帯端末から前記メッセージを受け取って該メッセージによる指示に従った場合にのみ前記デジタルコンテンツの配信を許可する配信手続き操作手段をさらに有し、前記一次記憶手段は、前記手順プログラムを記憶し、前記表示手段は、視聴者がデジタルコンテンツ配信時刻に指定チャネルを視聴している場合、前記配信手続き操作手段からの前記メッセージを表示するようにしたものである。
【００１２】
本発明の請求項６によるデジタルコンテンツ配信システムは、請求項１記載のデジタルコンテンツ配信システムにおいて、前記携帯端末は、該携帯端末の認証番号を保持する認証番号保持手段をさらに有し、前記受信機は、前記デジタルコンテンツの配信を行う対象の携帯端末の認証番号を登録する認証番号登録手段と、前記認証番号登録手段に登録された認証番号と、前記携帯端末が持つ認証番号とが一致した場合に、前記デジタルコンテンツの配信を行う対象の携帯端末を限定する携帯端末限定手段と、をさらに有するようにしたものである。
【００１３】
本発明の請求項７によるデジタルコンテンツ配信システムは、請求項６記載のデジタルコンテンツ配信システムにおいて、前記認証番号は、前記携帯端末に固有の番号、あるいは番号と文字の組み合わせであるようにしたものである。
【００１４】
本発明の請求項８によるデジタルコンテンツ配信システムは、請求項６記載のデジタルコンテンツ配信システムにおいて、前記携帯端末が持つ認証番号は、任意の番号、あるいは番号と文字の組み合わせが登録可能であるようにしたものである。
【００１５】
本発明の請求項９によるデジタルコンテンツ配信システムは、請求項１記載のデジタルコンテンツ配信システムにおいて、前記携帯端末は、前記デジタルコンテンツの配信を受けるための配信権利情報を保持する配信権利情報保持手段をさらに有し、前記受信機は、前記携帯端末から前記配信権利情報を取得し、また、前記放送局から前記携帯端末が配信権利を保有するか否かを確認するための配信権利確認情報を入手し、該配信権利情報と該配信権利確認情報が整合するか否かを調べ、前記携帯端末が前記配信権利を保有する場合、前記デジタルコンテンツの配信を許可する配信権利確認手段をさらに有するようにしたものである。
【００１６】
本発明の請求項１０によるデジタルコンテンツ配信システムは、請求項９記載のデジタルコンテンツ配信システムにおいて、前記デジタルコンテンツ配信権利情報は、前記携帯端末が前記接続網を介して前記サーバーと通信し取得される情報であるようにしたものである。
【００１７】
本発明の請求項１１によるデジタルコンテンツ配信システムは、請求項１記載のデジタルコンテンツ配信システムにおいて、前記携帯端末は、前記広告コンテンツの視聴毎に、前記受信機から視聴回数更新指示を受け取り、広告視聴回数をカウントする視聴回数カウント手段をさらに有し、前記受信機は、外部のサーバーから広告視聴規定回数を受信し、前記携帯端末に前記視聴回数更新指示を出して、前記携帯端末が保持する前記広告視聴回数が前記広告視聴規定回数に達している場合にのみ、デジタルコンテンツの配信を許可する配信許可手段をさらに有するようにしたものである。
【００１８】
本発明の請求項１２によるデジタルコンテンツ配信システムは、請求項１記載のデジタルコンテンツ配信システムにおいて、前記受信機と前記携帯端末は、無線通信を行うようにしたものである。
【００１９】
本発明の請求項１３によるデジタルコンテンツ配信方法は、放送波を用いて、広告コンテンツ、及びデジタルコンテンツを放送し、受信機により前記放送波を受信し、前記広告コンテンツを視聴者に対して表示すると共に、前記広告コンテンツの表示に同期して、前記デジタルコンテンツを携帯端末に配信し、前記携帯端末において前記受信機と通信を行い、前記デジタルコンテンツを受信し表示するようにしたものである。
【００２０】
本発明の請求項１４によるデジタルコンテンツ配信方法は、請求項１３記載のデジタルコンテンツ配信方法において、前記携帯端末にて接続網を介して外部のサーバーと通信し、希望のデジタルコンテンツ配信時刻、及び指定チャネルを取得して、前記受信機に対して前記デジタルコンテンツ配信時刻、及び前記指定チャネルにおける前記デジタルコンテンツの配信予約を行うようにしたものである。
【００２１】
本発明の請求項１５によるデジタルコンテンツ配信方法は、請求項１４記載のデジタルコンテンツ配信方法において、前記受信機にて、配信予約時刻になった時、あるいは該配信予約時刻の前に、画面表示またはアラームにより該配信予約時刻である旨を通知するようにしたものである。
【００２２】
本発明の請求項１６によるデジタルコンテンツ配信方法は、請求項１４記載のデジタルコンテンツ配信方法において、前記受信機にて、配信予約時刻になった時、あるいは該配信予約時刻の前に、前記携帯端末に対して、該配信予約時刻である旨を通知するようにしたものである。
【００２３】
本発明の請求項１７によるデジタルコンテンツ配信方法は、請求項１３記載のデジタルコンテンツ配信方法において、前記受信機にて、画面表示あるいはアラームにより前記携帯端末の操作を促すメッセージを視聴者に通知し、該メッセージによる指示に従った場合にのみ前記デジタルコンテンツの配信を行うようにしたものである。
【００２４】
本発明の請求項１８によるデジタルコンテンツ配信方法は、請求項１３記載のデジタルコンテンツ配信方法において、前記携帯端末を認証するための認証番号を前記受信機に登録し、前記受信機に登録された認証番号と、前記携帯端末が持つ認証番号とが一致した場合に、前記受信機にて前記デジタルコンテンツの配信を行うようにしたものである。
【００２５】
本発明の請求項１９によるデジタルコンテンツ配信方法は、請求項１８記載のデジタルコンテンツ配信方法において、前記認証番号は、前記携帯端末に固有の番号、あるいは番号と文字の組み合わせであるようにしたものである。
【００２６】
本発明の請求項２０によるデジタルコンテンツ配信方法は、請求項１８記載のデジタルコンテンツ配信方法において、前記携帯端末が持つ認証番号は、任意の番号、あるいは番号と文字の組み合わせが登録可能であるようにしたものである。
【００２７】
本発明の請求項２１によるデジタルコンテンツ配信方法は、請求項１３記載のデジタルコンテンツ配信方法において、前記携帯端末にて接続網を介して外部のサーバーと通信してデジタルコンテンツの配信を受けるための配信権利情報を取得し、前記受信機にて前記携帯端末から配信権利を保有するか否かを確認するための配信権利確認情報を取得し、前記配信権利情報と前記配信権利確認情報を整合して前記携帯端末が前記配信権利を保有する場合、前記デジタルコンテンツの配信を行うようにするものである。
【００２８】
本発明の請求項２２によるデジタルコンテンツ配信方法は、請求項２１記載のデジタルコンテンツ配信方法において、前記デジタルコンテンツ配信権利情報は、前記携帯端末が接続網を介してサーバーと通信し取得される情報であるようにしたものである。
【００２９】
本発明の請求項２３によるデジタルコンテンツ配信方法は、請求項１３記載のデジタルコンテンツ配信方法において、前記携帯端末にて、前記広告コンテンツの視聴毎に前記受信機から視聴回数更新指示を受け取って広告視聴回数をカウントし、該広告視聴回数が外部のサーバーから受信した広告視聴規定回数に達している場合にのみ、デジタルコンテンツの配信を受けるようにしたものである。
【００３０】
本発明の請求項２４によるデジタルコンテンツ配信方法は、請求項１３記載のデジタルコンテンツ配信方法において、前記受信機と前記携帯端末は、無線通信を行うようにしたものである。
【００３１】
【発明の実施の形態】
（実施の形態１）
以下に、本発明の請求項１及び１３に記載された発明の実施の形態について、図１、図２及び図３を用いて説明する。
図１は本発明の実施の形態１によるデジタルコンテンツ配信システムの基本構成を示すブロック図であり、図２は本発明の実施の形態１によるデジタルコンテンツ配信システムにおけるデジタルコンテンツデータのフォーマットの一例を示す図である。
【００３２】
図１において、デジタルコンテンツ配信システムは、放送局１、受信機２ａ、及び携帯端末３ａから構成されている。
受信機２ａは、受信手段１１、表示手段１２、一時記憶手段１３、配信起動手段１４、及びデータ配信手段１５を備えている。
携帯端末３ａは、受信機用通信手段２１、及び記憶手段２２を備えている。
【００３３】
放送局１は、テレビジョン放送波あるいはラジオ放送波を用いて、広告コンテンツ、デジタルコンテンツ、及び広告コンテンツとデジタルコンテンツ間のリンク情報を放送する。
受信手段１１は、放送局１からのデータ放送により配信されるデジタルコンテンツデータ３１を受信し、一時記憶手段１３に保存する。
【００３４】
図２で示すように、前記デジタルコンテンツデータ３１は、ヘッダ情報領域３２、及びデータ領域３３で構成されている。前記ヘッダ情報領域３２は、広告コンテンツとデジタルコンテンツ間のリンク情報が含まれており、デジタルコンテンツ配信時刻３４、及び指定チャネル３５が記述されている。また、前記データ領域３３にはデジタルコンテンツ３６が格納されている。
【００３５】
更に前記受信手段１１は、視聴者に選択されたチャネルの放送波を前記放送局１から受信して表示手段１２に放送内容を表示する。
配信起動手段１４は、ヘッダ情報領域３２に記述されたデジタルコンテンツ配信時刻３４に指定チャネル３５が選択されていることを検知した場合、データ配信手段１５に対してデジタルコンテンツ３６の配信を指示する。
データ配信手段１５は、配信起動手段１４の指示により携帯端末３に対してデータ通信を行い、デジタルコンテンツ３６を配信する。
受信機用通信手段２１は、受信機２ａから配信されるデジタルコンテンツ３６を受信し、記憶手段２２に記憶する。
【００３６】
次に、本発明の実施の形態１における処理の流れについて説明する。
図３は、本発明の実施の形態１におけるデジタルコンテンツ配信方法のフローチャートを示す図である。
図３において、まず、受信手段１１は放送局１からのデータ放送で配信されるデジタルコンテンツデータ３１を受信し、一時記憶手段１３に保存する（ステップＳ１）。
【００３７】
次に、受信機２ａは、前記受信手段１１により視聴者に選択されたチャネルの放送波を放送局１から受信し、表示手段１２に放送内容を表示する（ステップＳ２）。
続いて、視聴者によるチャネルの選択において、前記受信機２ａが配信起動手段１４によりデジタルコンテンツ配信時刻３４に指定チャネル３５が選択されていることを検知すると（ステップＳ３でＹｅｓと判断）、データ配信手段１５により携帯端末３ａへデジタルコンテンツ３６を配信する（ステップＳ４）。前記携帯端末３ａは、前記受信機２から配信されるデジタルコンテンツ３６を受信機用通信手段２１により受信し、記憶手段２２に記憶する（ステップＳ５）。
【００３８】
このように、実施の形態１によるデジタルコンテンツ配信システム及びデジタルコンテンツ配信方法によれば、デジタルコンテンツデータに記述されたデジタルコンテンツ配信時刻、及び指定チャネルに基づいて前記デジタルコンテンツ配信時刻に視聴者が指定チャネルを選択しているか否かを検知し、該指定チャネルが選択されていれば、デジタルコンテンツを携帯端末に配信する配信起動手段を備えたので、視聴者に指定チャネルの広告コンテンツの視聴を促し、広告効果を大きくすることができるという効果がある。
【００３９】
（実施の形態２）
次に、本発明の請求項２及び１４に記載された発明の実施の形態について、図４及び図５を用いて説明する。
図４は、本発明の実施の形態２におけるデジタルコンテンツ配信システムの基本構成を示すブロック図である。
図４において、デジタルコンテンツ配信システムは、放送局１、受信機２ｂ、携帯端末３ｂ、インターネット網４１、及びサーバー４２により構成される。
【００４０】
受信機２ｂは、受信手段１１、表示手段１２、一時記憶手段１３、配信起動手段１４、データ配信手段１５、及び配信予約制御手段５３を備えている。
携帯端末３ｂは、受信機用通信手段２１、記憶手段２２、外部通信手段５１、及び配信予約手段５２を備えている。
【００４１】
なお、本発明の実施の形態２によるデジタルコンテンツ配信システムは、前記携帯端末３ｂをインターネット等の接続網によりサーバー４２に接続して、希望のデジタルコンテンツ配信を行う広告コンテンツが放送される時刻であるデジタルコンテンツ配信時刻、及び指定チャネルの情報を取得して、受信機に対して、前記デジタルコンテンツ配信時刻、及び前記指定チャネルでの配信予約を行う配信予約手段を設ける点で、前記実施の形態１と異なる。そのため、前記実施の形態１と同じ動作を行う構成要素には同一の符号を付し、説明を省略する。
【００４２】
外部通信手段５１は、インターネット通信網４１を介してサーバー４２と通信する。
配信予約手段５２は、サーバー４２に保存されているデジタルコンテンツ配信時刻、指定チャネル、及び広告コンテンツに付随して配信されるデジタルコンテンツの情報を参照して、希望のデジタルコンテンツ配信時刻、及び指定チャネルの情報を取得する。
【００４３】
更に前記配信予約手段５２は、受信機用通信手段２１を経由して、配信予約制御手段５３に目的のデジタルコンテンツ配信時刻、及び指定チャネルにおいて広告コンテンツ放送を受信し表示するように予約を行う。
配信予約制御手段５３は、前記配信予約手段５２によって予約されたデジタルコンテンツ配信時刻になると前記受信手段１１に対して予約した指定チャネルでの広告コンテンツ放送の受信を指示すると共に、配信起動手段１４に対してデジタルコンテンツ配信処理の起動を指示する。
【００４４】
次に、本発明の実施の形態２における処理の流れについて説明する。なお、外部通信手段５１、配信予約手段５２、及び配信予約制御手段５３以外に関する動作については、実施の形態１と同様であり、その説明を省略する。
【００４５】
図５は、本発明の実施の形態２におけるデジタルコンテンツ配信方法のフローチャート図である。
図５において、まず携帯端末３ｂは、外部通信手段５１によりインターネット通信網４１を介してサーバー４２と通信する（ステップＳ１１）。
次に、前記携帯端末３ｂは、前記サーバー４２に保存されているデジタルコンテンツ配信時刻、指定チャネル、及び広告コンテンツに付随して配信されるデジタルコンテンツの情報を参照して、配信予約手段５２により希望のデジタルコンテンツ配信時刻、及び指定チャネルの情報を取得する（ステップＳ１２）。
【００４６】
続いて受信機用通信手段２１を経由して、配信予約制御手段５３に希望のデジタルコンテンツ配信時刻、及び指定チャネルにおいて広告コンテンツ放送を受信し表示するように予約を行う（ステップＳ１３）。
【００４７】
配信予約制御手段５３は、前記配信予約手段５２によって予約されたデジタルコンテンツ配信時刻になると（ステップＳ１４でＹｅｓと判断）、前記受信手段１１に対して予約した指定チャネルでの広告コンテンツ放送の受信を指示する（ステップＳ１５）と共に前記配信起動手段１４に対してデジタルコンテンツ配信処理の起動を指示する（ステップＳ１６）。
【００４８】
このように実施の形態２によるデジタルコンテンツ配信システム及びデジタルコンテンツ配信方法は、携帯端末に配信予約手段及び外部通信手段を備え、また受信機に配信予約制御手段を備えたので、携帯端末にて希望のデジタルコンテンツ配信時刻、及び指定チャネルの情報を取得して、受信機に対して前記デジタルコンテンツ配信時刻、及び指定チャネルでのデジタルコンテンツ配信予約を行うことにより、確実に希望のデジタルコンテンツの配信を受けることができるという効果がある。
【００４９】
（実施の形態３）
次に、本発明の請求項３及び１５に記載された発明の実施の形態について、図６及び図７を用いて説明する。
図６は、本発明の実施の形態３によるデジタルコンテンツ配信システムの基本構成を示すブロック図である。
図６において、デジタルコンテンツ配信システムは、放送局１、受信機２ｃ、携帯端末３ｃ、インターネット網４１、及びサーバー４２により構成される。
【００５０】
受信機２ｃは、受信手段１１、表示手段１２、一時記憶手段１３、配信起動手段１４、データ配信手段１５、配信予約制御手段５３、及び配信予約時刻表示手段６１を備えている。
携帯端末３ｃは、受信機用通信手段２１、記憶手段２２、外部通信手段５１、及び配信予約手段５２を備えている。
【００５１】
なお、本発明の実施の形態３によるデジタルコンテンツ配信システムは、前記受信機２ｃにおいて、配信予約時刻になった時、あるいは配信予約時刻の前にメッセージ表示などの画面表示や音声メッセージなどのアラームにより配信予約時刻になった旨を表示する配信予約時刻表示手段６１を設ける点で、前記実施の形態２と異なる。そのため、前記実施の形態２と同じ動作を行う構成要素には同一の符号を付し、説明を省略する。
【００５２】
配信予約時刻表示手段６１は、配信予約制御手段５３から配信予約時刻になった旨の通知を取得すると、その旨を視聴者に通知する画面表示メッセージや音声メッセージを表示手段１２に送信する。
【００５３】
次に、本発明の実施の形態３における処理の流れについて説明する。なお、配信予約時刻表示手段６１以外に関する動作については、実施の形態２と同様であり、その説明を省略する。
【００５４】
図７は、本発明の実施の形態３におけるデジタルコンテンツ配信方法のフローチャート図である。
図７において、配信予約制御手段５３で配信予約時刻になったことを検知すると（ステップＳ２１でＹｅｓと判断）、配信予約時刻表示手段６１は、配信予約時刻になった旨を視聴者に通知する画面表示メッセージや音声メッセージを表示手段１２に送信する（ステップＳ２２）。
該表示手段１２は、メッセージの表示あるいは音声メッセージの再生を行う（ステップＳ２３）。
【００５５】
このように実施の形態３によるデジタルコンテンツ配信システム及びデジタルコンテンツ配信方法は、受信機に配信予約時刻表示手段を備えたことにより、配信予約時刻になった旨を受信機の表示手段に表示して視聴者にその旨を知らせることができ、視聴者にデジタルコンテンツ配信を受けるための携帯端末操作を行う準備を促し、広告コンテンツ視聴を促すことができるという効果がある。
【００５６】
（実施の形態４）
次に、本発明の請求項４及び１６に記載された発明の実施の形態について、図８及び図９を用いて説明する。
図８は、本発明の実施の形態４におけるデジタルコンテンツ配信システムの基本構成を示すブロック図である。
図８において、デジタルコンテンツ配信システムは、放送局１、受信機２ｄ、携帯端末３ｄ、インターネット網４１、及びサーバー４２により構成される。
【００５７】
受信機２ｄは、受信手段１１、表示手段１２、一時記憶手段１３、配信起動手段１４、データ配信手段１５、配信予約制御手段５３、及び配信予約時刻通知手段７１を備えている。
携帯端末３ｄは、受信用通信手段２１、記憶手段２２、外部通信手段５１、配信予約手段５２を備えている。
【００５８】
なお、本発明の実施の形態４によるデジタルコンテンツ配信システムは、前記受信機２ｄにおいて、配信予約時刻になった時、あるいは配信予約時刻の前に、前記携帯端末３ｄに対して配信予約時刻になったことを通知する配信予約時刻通知手段７１を設ける点で、前記実施の形態２と異なる。そのため、前記実施の形態２と同じ動作を行う構成要素には同一の符号を付し、説明を省略する。
配信予約時刻通知手段７１は、配信予約制御手段５３から配信予約時刻になった旨の通知を取得すると、その旨を前記携帯端末３ｄに対して通信で通知する。
【００５９】
次に、本発明の実施の形態４における処理の流れについて説明する。なお、配信予約時刻通知手段７１以外に関する動作については、実施の形態３と同様であり、その説明を省略する。
【００６０】
図９は、本発明の実施の形態４におけるデジタルコンテンツ配信方法のフローチャート図である。
図９において、前記配信予約制御手段５３において、配信予約時刻になったことを検知すると（ステップＳ３１でＹｅｓと判断）、配信予約時刻通知手段７１は、その旨を前記携帯端末３ｄに対して通信で通知し（ステップＳ３２）、視聴者にその旨を知らせる。
【００６１】
このように実施の形態４によるデジタルコンテンツ配信システム及びデジタルコンテンツ配信方法は、受信機に配信予約時刻通知手段を備えたことにより、携帯端末に配信予約時刻になった旨を通知し視聴者にその旨を知らせることができ、視聴者にデジタルコンテンツ配信を受けるための携帯端末操作を行う準備、及び広告コンテンツ視聴を促すことができるという効果がある。
【００６２】
（実施の形態５）
次に、本発明の請求項５及び１７に記載された発明の実施の形態について、図１０、図１１及び図１２を用いて説明する。
図１０は、本発明の実施の形態５におけるデジタルコンテンツ配信システムの基本構成を示すブロック図であり、図１１は、本発明の実施の形態５におけるデジタルコンテンツデータのフォーマットの一例を示す図である。
図１０において、デジタルコンテンツ配信システムは、放送局１、受信機２ｅ、携帯端末３ｅにより構成される。
【００６３】
受信機２ｅは、受信手段１１、表示手段１２、一時記憶手段１３、配信起動手段１４、データ配信手段１５、及び配信手続き操作手段８１を備えている。
携帯端末３ｅは、受信機用通信手段２１、記憶手段２２、及び操作ボタン８２を備えている。
【００６４】
なお、本発明の実施の形態５によるデジタルコンテンツ配信システムは、受信機２において携帯端末の操作を促すメッセージを視聴者に通知し、前記メッセージによる指示に従った場合にのみデジタルコンテンツの配信を許可する配信手続き操作手段８１、及び携帯端末３において前記メッセージの指示による操作を行う操作ボタン８２を設ける点で、前記実施の形態１と異なる。そのため、前記実施の形態１と同じ動作を行う構成要素には同一の符号を付し、説明を省略する。
【００６５】
本実施の形態５によるデジタルコンテンツ配信システムにおいて、前記放送局１は、視聴者に携帯端末の操作を促す手順プログラムも更に放送する。
受信手段１１は、前記放送局１からのデータ放送で配信されるデジタルコンテンツデータ９１を受信し一時記憶手段１３に保存する。
【００６６】
ここで、図１１に示すようにデジタルコンテンツデータ９１は、ヘッダ情報領域９２、データ領域９３、及び付加情報領域９４で構成されている。前記ヘッダ情報領域９２にはデジタルコンテンツ配信時刻９５、及び指定チャネル９６が記述され、前記データ領域９３にはデジタルコンテンツ９７が格納され、前記付加情報領域９４には視聴者に携帯端末の操作を促す手順プログラム９８が格納されている。
【００６７】
更に前記受信手段１１は、視聴者に選択されたチャネルの放送波を前記放送局１から受信して表示手段１２に放送内容を表示する。
配信起動手段１４は、ヘッダ情報９２に記述された放送時刻９５に放送チャネル９６が選択されていることを検知すると、配信手続き操作手段８１にその旨を通知する。
【００６８】
前記配信手続き操作手段８１は、手順プログラム９８に記述された、視聴者に前記携帯端末３ｅ内の操作ボタン８２の操作を促すメッセージを表示するよう表示手段１２に指示する。また、前記配信手続き操作手段８１は、視聴者が操作した操作ボタン８２に対するコードを前記携帯端末３ｅから受け取り、前記手順プログラム９８に記述された指定のボタン操作と一致していることを確認した場合に配信起動手段１４にデジタルコンテンツの配信を指示する。
受信機用通信手段２１は、視聴者に操作された操作ボタン８２に対するコードを前記受信機２ｅに通知する。
【００６９】
次に、本発明の実施の形態５における処理の流れについて説明する。なお、配信手続き操作手段８１、及び操作ボタン８２以外に関する動作については、実施の形態１と同様であり、その説明を省略する。
図１２は、本発明の実施の形態５におけるデジタルコンテンツ配信システムのフローチャート図である。
図１２において、受信手段１１は、放送局１からのデータ放送で配信されるデジタルコンテンツデータ９１を受信し一時記憶手段１３に保存する（ステップＳ４１）。
受信機２ｅは、前記受信手段１１により視聴者に選択されたチャネルの放送波を放送局１から受信して表示手段１２に放送内容を表示する（ステップＳ４２）。
【００７０】
次に、配信起動手段１４によりヘッダ情報領域９２に記述されたデジタルコンテンツ配信時刻９５に指定チャネル９６が選択されていることを検知すると（ステップＳ４３でＹｅｓと判断）、配信手続き操作手段８１により手順プログラム９８に記述された、視聴者に前記携帯端末３ｅ内の操作ボタン８２の操作を促すメッセージを表示するよう表示手段１２に指示する（ステップＳ４４）。
【００７１】
次に、配信手続き操作手段８１は、前記携帯端末３ｅからの視聴者が操作した操作ボタン８２に対するコードを受け取り（ステップＳ４５）、該コードが前記手順プログラム９８に記述された指定のボタン操作と一致していることを確認した場合（ステップＳ４６でＹｅｓと判断）、前記配信起動手段１４にデジタルコンテンツの配信を指示する（ステップＳ４７）。
【００７２】
このように実施の形態５によるデジタルコンテンツ配信システム及びデジタルコンテンツ配信方法は、受信機、及び携帯端末にそれぞれ配信手続き操作手段、及び操作ボタンを備えたので、視聴者がデジタルコンテンツ配信時刻に指定チャネルを視聴しているときに視聴者に携帯端末の操作を促すメッセージを表示し、視聴者の携帯端末操作が適切なときにデジタルコンテンツを配信するようにしたことにより、視聴者にデジタルコンテンツの配信を指示することができ、広告コンテンツの視聴を促すという効果がある。
【００７３】
（実施の形態６）
次に、本発明の請求項６、８、１８または２０に記載された発明の実施の形態について、図１３及び図１４を用いて説明する。
図１３は、本発明の実施の形態６におけるデジタルコンテンツ配信システムの基本構成を示すブロック図である。
図１３において、デジタルコンテンツ配信システムは、放送局１、受信機２ｆ、携帯端末３ｆにより構成される。
【００７４】
受信機２ｆは、受信手段１１、表示手段１２、一時記憶手段１３、配信起動手段１４、データ配信手段１５、認証番号登録手段１０１、及び携帯端末限定手段１０２を備えている。
携帯端末３ｆは、受信用通信手段２１、記憶手段２２、操作ボタン８２、及び認証番号保持手段１０３を備えている。
【００７５】
なお、本発明の実施の形態６によるデジタルコンテンツ配信システムは、携帯端末３ｆにおいて携帯端末の認証番号を保持する認証番号保持手段１０３を設け、また、受信機２ｆにおいてデジタルコンテンツの配信を行う対象の携帯端末の認証番号を登録する認証番号登録手段１０１と、該認証番号登録手段１０１に登録された認証番号と前記携帯端末が持つ認証番号とが一致した場合にデジタルコンテンツの配信を行う対象の携帯端末を限定する携帯端末限定手段１０２を設ける点で、前記実施の形態１と異なる。そのため、前記実施の形態１と同じ動作を行う構成要素には同一の符号を付し、説明を省略する。
前記認証番号登録手段１０１は、視聴者からデジタルコンテンツ配信を行う対象の携帯端末を認証する為の認証番号を取得して保持する。
【００７６】
配信起動手段１４は、携帯端末限定手段１０２に対して携帯端末３ｆがデジタルコンテンツ配信を行う対象の携帯端末であることを問い合わせて、対象の携帯端末であることが確認された場合に、デジタルコンテンツ配信を行う。
携帯端末限定手段１０２は、携帯端末３ｆに認証番号を問い合わせて、前記認証番号登録手段１０１に登録された認証番号との一致性を調べて、結果を前記配信起動手段１４に通知する。
【００７７】
認証番号保持手段１０３は、操作ボタン８２により視聴者に入力された認証番号を保持しており、受信機２ｆからの認証番号の問い合わせに対して受信機用通信手段２１を経由して、前記認証番号を受信機２ｆに送信する。
なお、前記認証番号保持手段１０３に保持する認証番号は、携帯端末の電話番号や製造番号などの携帯端末に固有の番号あるいは番号と文字の組み合わせを用いた場合には、操作ボタン８２により視聴者が認識番号を入力する必要はない。
【００７８】
次に、本発明の実施の形態６における処理の流れについて説明する。なお、操作ボタン８２、認証番号登録手段１０１、携帯端末限定手段１０２、及び認証番号保持手段１０３以外に関する動作については、実施の形態１と同様であり、その説明を省略する。
【００７９】
図１４は、本発明の実施の形態６におけるデジタルコンテンツ配信方法のフローチャート図である。
図１４において、認証番号登録手段１０１は、デジタルコンテンツ配信を行う対象の携帯端末を認証する為の認証番号を視聴者から取得して保持する（ステップＳ５１）。
【００８０】
配信起動手段１４は、携帯端末３ｆがデジタルコンテンツ配信を行う対象の携帯端末であることを携帯端末限定手段１０２に対して問い合わせると、該携帯端末限定手段１０２は、前記携帯端末３ｆに認証番号を問い合わせる（ステップＳ５２）。この問い合わせに対して、受信機２ｆは前記携帯端末３ｆからの視聴者が入力していた認証番号を受け取り（ステップＳ５３）、認証番号登録手段１０１に登録された認証番号との一致性を調べる。対象の携帯端末であることが確認された場合（ステップＳ５４でＹｅｓと判断）、前記配信起動手段１４はデジタルコンテンツ配信を起動する（ステップＳ５５）。
【００８１】
このように本発明の実施の形態６によるデジタルコンテンツ配信システム及びデジタルコンテンツ配信方法は、受信機に認証番号登録手段と携帯端末限定手段を備え、また携帯端末に認証番号保持手段を備えたので、受信機に登録された認証番号と一致する認証番号を持つ携帯端末にのみ、デジタルコンテンツを配信することができ、デジタルコンテンツ配信を行う携帯端末を特定することができるという効果がある。
【００８２】
（実施の形態７）
次に、本発明の請求項９、１０及び２１、２２に記載された発明の実施の形態について、図１５乃至図１７を用いて説明する。
図１５は、本発明の実施の形態７におけるデジタルコンテンツ配信システムの基本構成を示すブロック図であり、図１６は、本発明の実施の形態７におけるデジタルコンテンツデータのフォーマットの一例を示す図である。
図１５において、デジタルコンテンツ配信システムは、放送局１、受信機２ｇ、携帯端末３ｇ、インターネット網４１、及びサーバー４２により構成される。
【００８３】
受信機２ｇは、受信手段１１、表示手段１２、一時記憶手段１３、配信起動手段１４、データ配信手段１５、及び配信権利確認手段１１１を備えている。
携帯端末３ｇは、受信機用通信手段２１、記憶手段２２、操作ボタン８２、及び配信権利情報保持手段１１２を備えている。
【００８４】
なお、本発明の実施の形態７によるデジタルコンテンツ配信システムは、受信機２ｇにおいて携帯端末３ｇからのデジタルコンテンツ配信権利情報を取得して前記デジタルコンテンツ配信権利情報の正当性を調べ、前記携帯端末３ｇが配信権利を保有する場合に、デジタルコンテンツの配信を許可する配信権利確認手段１１１を設け、また前記携帯端末３ｇにおいて、前記デジタルコンテンツ配信権利情報を保持する配信権利情報保持手段１１２を設ける点で、前記実施の形態１と異なる。そのため、前記実施の形態１と同じ動作を行う構成要素には同一の符号を付し、説明を省略する。
【００８５】
配信権利情報保持手段１１２は、受信機２ｇからデジタルコンテンツ配信を受けるための配信権利情報を保持し、前記受信機２ｇからの配信権利情報の問い合わせに対して受信機用通信手段２１を経由して前記配信権利情報を前記受信機２ｇに送信する。
【００８６】
なお、この配信権利情報は、視聴者により広告主から与えられた配信権利情報を操作ボタン８２を用いて入力することも可能であり、インターネット網４１を介してサーバー４２と通信することにより前記サーバー４２から配信権利情報を取得することも可能である。
受信機２ｇにおいて、放送局１からのデータ放送で配信されるデジタルコンテンツデータ９１を受信手段１１で受信し一時記憶手段１３に保存する。
【００８７】
ここで、図１６に示すように、前記デジタルコンテンツデータ９１は、ヘッダ情報領域９２、データ領域９３、及び付加情報領域９４で構成されている。前記ヘッダ情報領域９２にはデジタルコンテンツ配信時刻９５、及び指定チャネル９６が記述され、前記データ領域９３にはデジタルコンテンツ９７が格納され、前記付加情報領域９４にはデジタルコンテンツの配信を許可するための配信権利確認情報１２１が格納される。
【００８８】
配信起動手段１４は、配信権利確認手段１１１に対して前記携帯端末３ｇがデジタルコンテンツの配信権利を保有しているか否かを問い合わせて、配信権利を保有する携帯端末であることが確認された場合に、デジタルコンテンツ配信を行う。
前記配信権利確認手段１１１は、前記携帯端末３ｇに配信権利情報を問い合わせて、該配信権利情報と一時記憶手段１３に保存された前記配信権利確認情報１２１との整合性を調べて、前記携帯端末３ｇが配信権利を保有するか否かを前記配信起動手段１４に通知する。
【００８９】
次に、本発明の実施の形態７における処理の流れについて説明する。なお、操作ボタン８２、配信権利確認手段１１１、及び配信権利情報保持手段１１２以外に関する動作については、実施の形態１と同様であり、その説明を省略する。
【００９０】
図１７は、本発明の実施の形態７におけるデジタルコンテンツ配信方法のフローチャート図である。
図１７において、配信権利情報保持手段１１２は、視聴者により広告主から与えられた配信権利情報を、操作ボタン８２を用いて入力してもらうか、あるいはインターネット網４１を介してサーバー４２と通信することにより前記サーバー４２から配信権利情報を取得し、保持する（ステップＳ６１）。
受信手段１１は、放送局１からのデータ放送で配信されるデジタルコンテンツデータ９１を受信し一時記憶手段１３に保存する（ステップＳ６２）。
【００９１】
次に、配信起動手段１４は、配信権利確認手段１１１に対して携帯端末３ｇがデジタルコンテンツ配信権利を持っているか否かを問い合わせると、前記配信権利確認手段１１１は、前記携帯端末３ｇに配信権利情報を問い合わせる（ステップＳ６３）。この問い合わせに対して、受信機２ｇは前記携帯端末３ｇから配信権利情報を受け取る（ステップＳ６４）。
【００９２】
続いて前記配信権利情報と、前記一時記憶手段１３に保存された前記配信権利確認情報１２１との整合性を調べて、配信権利を保有する携帯端末であることが確認された場合に（ステップＳ６５でＹｅｓと判断）、前記配信起動手段１４はデジタルコンテンツ配信を起動する（ステップＳ６６）。
【００９３】
このように実施の形態７によるデジタルコンテンツ配信システム及びデジタルコンテンツ配信方法は、受信機に配信権利確認手段を備え、携帯端末に配信権利情報保持手段を備えたことにより、配信権利を保有する携帯端末であることが確認された場合にデジタルコンテンツデータの配信を起動するようにしたので、特定の携帯端末にデジタルコンテンツデータを配信することができるという効果がある。
【００９４】
（実施の形態８）
次に、本発明の請求項１１及び２３に記載された発明の実施の形態について、図１８乃至図２０を用いて説明する。
図１８は、本発明の実施の形態８におけるデジタルコンテンツ配信システムの基本構成を示すブロック図であり、図１９は、本発明の実施の形態８におけるデジタルコンテンツデータのフォーマットの一例を示す図である。
【００９５】
図１８において、デジタルコンテンツ配信システムは、放送局１、受信機２ｈ、携帯端末３ｈにより構成される。
受信機２ｈは、受信手段１１、表示手段１２、一時記憶手段１３、配信起動手段１４、データ配信手段１５、及び配信許可手段１３１を備えている。
携帯端末３ｈは、受信機用通信手段２１、記憶手段２２、及び視聴回数カウント手段１３２を備えている。
【００９６】
なお、本発明の実施の形態８によるデジタルコンテンツ配信システムは、前記携帯端末３ｈにおいて、広告コンテンツ視聴毎に受信機から視聴回数更新指示を受け取り、広告視聴回数をカウントする視聴回数カウント手段１３２を設け、また、前記受信機２ｈにおいて、前記携帯端末３ｈが保持する広告視聴回数が広告視聴規定回数に達している場合にのみデジタルコンテンツの配信を許可する配信許可手段１３１を設ける点で、前記実施の形態１と異なる。そのため、前記実施の形態１と同じ動作を行う構成要素には同一の符号を付し、説明を省略する。
【００９７】
前記視聴回数カウント手段１３２は、広告視聴回数を保持し、前記受信機２ｈからの広告視聴回数の問い合わせに対して、保持している広告視聴回数を受信機２ｈに通知する。また、前記受信機２ｈからの広告視聴回数の更新指示に対して、保持している広告視聴回数を更新する。
前記受信機２ｈにおいて、放送局１からのデータ放送で配信されるデジタルコンテンツデータ９１を受信手段１１で受信し一時記憶手段１３に保存する。
【００９８】
ここで、図１９に示すように、前記デジタルコンテンツデータ９１は、ヘッダ情報領域９２、データ領域９３、及び付加情報領域９４で構成されている。前記ヘッダ情報領域９２にはデジタルコンテンツ配信時刻９５、及び指定チャネル９６が記述され、前記データ領域９３にはデジタルコンテンツ９７が格納され、前記付加情報領域９４にはデジタルコンテンツの配信を許可するための条件である広告視聴規定回数１４１が格納される。この広告視聴規定回数とは、視聴者がデジタルコンテンツの配信を受けるために要求される広告コンテンツの視聴回数であり、視聴者が広告視聴規定回数以上の広告コンテンツ視聴を行った場合にデジタルコンテンツの配信を行うものである。
【００９９】
配信起動手段１４は、配信許可手段１３１に対して携帯端末３ｈがデジタルコンテンツ配信を受けるための広告視聴規定回数に達していることを問い合わせて、広告視聴規定回数に達している携帯端末であることが確認された場合に、デジタルコンテンツ配信を起動する。
【０１００】
配信許可手段１３１は、携帯端末３ｈに対して広告視聴毎に広告視聴回数を更新するように前記携帯端末３ｈに指示すると共に現在の広告視聴回数を問い合わせて、一時記憶手段１３に保存された広告視聴規定回数１４１に達しているか否かを調べて、結果を前記配信起動手段１４に通知する。
【０１０１】
次に、本発明の実施の形態８におけるデジタルコンテンツ配信システムの処理の流れについて説明する。なお、配信許可手段１３１、及び視聴回数カウント手段１３２以外に関する動作については、実施の形態１と同様であり、その説明を省略する。
【０１０２】
図２０は、本発明の実施の形態８におけるデジタルコンテンツ配信方法のフローチャート図である。
図２０において、前記受信手段１１は、放送局１からのデータ放送で配信されるデジタルコンテンツデータ９１を受信し一時記憶手段１３に保存する（ステップＳ７１）。
【０１０３】
配信起動手段１４は、配信許可手段１３１に対して携帯端末３ｈがデジタルコンテンツ配信を受けるための広告視聴規定回数に達しているか否かを問い合わせると、前記配信許可手段１３１は、前記携帯端末３ｈに対して広告視聴回数を更新するように前記携帯端末３ｈに指示すると共に現在の広告視聴回数を問い合わせる（ステップＳ７２）。
【０１０４】
この問い合わせに対して、前記携帯端末３ｈにおいて、前記視聴回数カウント手段１３２は、保持している広告視聴回数を更新すると共に前記受信機２ｈに現在の広告視聴回数を通知し（ステップＳ７３）、受信機２ｈにおいて、前記携帯端末３ｈから広告視聴回数を受け取る（ステップＳ７４）。
【０１０５】
次に、前記一時記憶手段１３に保存された前記広告視聴規定回数１４１に達しているか否かを調べて、広告視聴規定回数に達している携帯端末であることが確認された場合に（ステップＳ７５でＹｅｓと判断）、前記配信起動手段１４はデジタルコンテンツ配信を起動する（ステップＳ７６）。
【０１０６】
このように、本発明の実施の形態８によるデジタルコンテンツ配信システム及び配信方法は、受信機に配信許可手段を備え、携帯端末に視聴回数カウント手段を備えることにより、視聴回数が規定回数に達している場合にのみデジタルコンテンツの配信を受けることができ、複数回数の広告コンテンツ視聴及び複数の広告コンテンツ視聴を促すことができるという効果がある。
【０１０７】
また本発明の実施の形態８によるデジタルコンテンツ配信システム及びデジタルコンテンツ配信方法は、デジタルコンテンツ情報に対して付加情報として広告視聴規定回数を含むようにしたので、複数回数の広告コンテンツ視聴を促すことができ、広告、宣伝効果を高めることができるという効果がある。
【０１０８】
【発明の効果】
以上のように、本発明の請求項１によるデジタルコンテンツ配信システムによれば、放送波を用いて、広告コンテンツ、デジタルコンテンツ、及び該広告コンテンツと該デジタルコンテンツ間のリンク情報を放送する放送局と、前記放送波を受信する受信手段と、前記広告コンテンツを表示する表示手段と、前記デジタルコンテンツ、及び前記リンク情報を記憶する一時記憶手段と、前記リンク情報を参照し、前記広告コンテンツの表示に同期して、前記デジタルコンテンツを配信するよう配信を起動する配信起動手段と、前記配信起動手段の指示に従い、前記デジタルコンテンツを携帯端末に配信するデータ配信手段と、を有する受信機と、前記データ配信手段から配信される前記デジタルコンテンツを受信するよう前記受信機と通信を行う受信機用通信手段を有する携帯端末と、を備えるようにしたので、広告コンテンツ視聴に伴い各種のデジタルコンテンツを視聴者の携帯端末に配信する付加価値を提供することにより、広告コンテンツそのものに対する視聴者の視聴意欲を高めることができるという効果がある。
【０１０９】
また、本発明の請求項２によるデジタルコンテンツ配信システムによれば、請求項１記載のデジタルコンテンツ配信システムにおいて、前記携帯端末は、接続網を介して外部のサーバーと通信する外部通信手段と、前記サーバーに保存されているデジタルコンテンツ配信時刻、指定チャネル、及び前記デジタルコンテンツの情報を参照して、希望のデジタルコンテンツ配信時刻、及び指定チャネルの情報を前記サーバーから取得し、前記受信機に対して前記デジタルコンテンツ配信時刻、及び前記指定チャネルにおける前記デジタルコンテンツの配信予約を行う配信予約手段と、をさらに有し、前記受信機は、前記携帯端末からの配信予約を受け付け、予約されたデジタルコンテンツ配信時刻において、前記受信手段に対して前記広告コンテンツの受信を指示し、前記配信起動手段に対して前記デジタルコンテンツの配信処理の起動を指示する配信予約制御手段をさらに有するようにしたので、視聴者は期待のデジタルコンテンツが配信されるデジタルコンテンツ配信時刻及び指定チャネルを簡単に知ることができ、また、受信機に対する配信予約を可能にすることにより、目的の広告コンテンツが放送される時刻に自動的に受信チャネルを切り替えることにより、視聴するタイミングを逃さないようにすることができるという効果がある。また、広告主は、サーバー上に広告コンテンツを用意することにより、視聴者がデジタルコンテンツ配信時刻、及び指定チャネルを取得するために、サーバーにアクセスした時に更に宣伝、広告効果を得ることができるという効果がある。
【０１１０】
また、本発明の請求項３によるデジタルコンテンツ配信システムによれば、請求項２記載のデジタルコンテンツ配信システムにおいて、前記受信機は、配信予約時刻になった時、あるいは該配信予約時刻の前に、画面表示またはアラームにより配信予約時刻である旨を表示する配信予約時刻表示手段をさらに有するようにしたので、配信予約時刻になったことを視聴者に知らせて、デジタルコンテンツ配信を受けるための携帯端末操作の準備や広告コンテンツ視聴を促すことができるという効果がある。
【０１１１】
また、本発明の請求項４によるデジタルコンテンツ配信システムによれば、請求項２記載のデジタルコンテンツ配信システムにおいて、前記受信機は、配信予約時刻になった時、あるいは該配信予約時刻の前に、前記携帯端末に対し、該配信予約時刻である旨を通知する配信予約時刻通知手段をさらに有するようにしたので、配信予約時刻になったことを受信機から離れている視聴者に知らせて、デジタルコンテンツ配信を受けるための携帯端末操作の準備や広告コンテンツ視聴を促すことができるという効果がある。
【０１１２】
また、本発明の請求項５によるデジタルコンテンツ配信システムによれば、請求項１記載のデジタルコンテンツ配信システムにおいて、前記放送局は、放送波を用いて視聴者に携帯端末の操作を促す手順プログラムをさらに放送し、前記受信機は、前記手順プログラムに記述された携帯端末の操作を促すメッセージを前記表示手段に表示する旨を指示し、また、視聴者が前記携帯端末から前記メッセージを受け取って該メッセージによる指示に従った場合にのみ前記デジタルコンテンツの配信を許可する配信手続き操作手段をさらに有し、前記一次記憶手段は、前記手順プログラムを記憶し、前記表示手段は、視聴者がデジタルコンテンツ配信時刻に指定チャネルを視聴している場合、前記配信手続き操作手段からの前記メッセージを表示するようにしたので、視聴者にデジタルコンテンツ配信を行う為の操作を促すことにより、視聴者に対して広告コンテンツの視聴を促すことができるという効果がある。
【０１１３】
また、本発明の請求項６によるデジタルコンテンツ配信システムによれば、請求項１記載のデジタルコンテンツ配信システムにおいて、前記携帯端末は、該携帯端末の認証番号を保持する認証番号保持手段をさらに有し、前記受信機は、前記デジタルコンテンツの配信を行う対象の携帯端末の認証番号を登録する認証番号登録手段と、前記認証番号登録手段に登録された認証番号と、前記携帯端末が持つ認証番号とが一致した場合に、前記デジタルコンテンツの配信を行う対象の携帯端末を限定する携帯端末限定手段と、をさらに有するようにしたので、登録された認証番号を持つ携帯端末にのみデジタルコンテンツを配信することにより、デジタルコンテンツ配布を希望しない携帯端末へのデジタルコンテンツ配布を防ぐことができるという効果がある。
【０１１４】
また、本発明の請求項７によるデジタルコンテンツ配信システムによれば、請求項６記載のデジタルコンテンツ配信システムにおいて、前記認証番号は、前記携帯端末に固有の番号、あるいは番号と文字の組み合わせであるようにしたので、正確に認証番号を用いて携帯端末の認証を行うことができるという効果がある。
【０１１５】
また、本発明の請求項８によるデジタルコンテンツ配信システムによれば、請求項６記載のデジタルコンテンツ配信システムにおいて、前記携帯端末が持つ認証番号は、任意の番号、あるいは番号と文字の組み合わせが登録可能であるようにしたので、容易且つ正確に携帯端末に認証番号を登録することができるという効果がある。
【０１１６】
また、本発明の請求項９によるデジタルコンテンツ配信システムによれば、請求項１記載のデジタルコンテンツ配信システムにおいて、前記携帯端末は、前記デジタルコンテンツの配信を受けるための配信権利情報を保持する配信権利情報保持手段をさらに有し、前記受信機は、前記携帯端末から前記配信権利情報を取得し、また、前記放送局から前記携帯端末が配信権利を保有するか否かを確認するための配信権利確認情報を入手し、該配信権利情報と該配信権利確認情報が整合するか否かを調べ、前記携帯端末が前記配信権利を保有する場合、前記デジタルコンテンツの配信を許可する配信権利確認手段をさらに有するようにしたので、視聴者にデジタルコンテンツの配信を受けるための配信権利を与える代わりにインターネットによる広告コンテンツを閲覧すると、前記配信権利に基づいてデジタルコンテンツ配信を行うようにしたことにより、配信権利を持ちデジタルコンテンツ配信を希望する視聴者に対して広告コンテンツの閲覧を促すことができるという効果がある。
【０１１７】
また、本発明の請求項１０によるデジタルコンテンツ配信システムによれば、請求項９記載のデジタルコンテンツ配信システムにおいて、前記デジタルコンテンツ配信権利情報は、前記携帯端末が前記接続網を介して前記サーバーと通信し取得される情報であるようにしたので、あらかじめサーバーと通信しデジタルコンテンツ配信権利情報を取得した特定の携帯端末に対してデジタルコンテンツを配信することができるという効果がある。
【０１１８】
また、本発明の請求項１１によるデジタルコンテンツ配信システムによれば、本発明の請求項１１によるデジタルコンテンツ配信システムは、請求項１記載のデジタルコンテンツ配信システムにおいて、前記携帯端末は、前記広告コンテンツの視聴毎に、前記受信機から視聴回数更新指示を受け取り、広告視聴回数をカウントする視聴回数カウント手段をさらに有し、前記受信機は、外部のサーバーから広告視聴規定回数を受信し、前記携帯端末に前記視聴回数更新指示を出して、前記携帯端末が保持する前記広告視聴回数が前記広告視聴規定回数に達している場合にのみ、デジタルコンテンツの配信を許可する配信許可手段をさらに有するようにしたので、視聴者に対して複数回数の広告コンテンツ視聴や複数の広告コンテンツ視聴を促して、広告、宣伝効果を高めることができるという効果がある。
【０１１９】
また、本発明の請求項１２によるデジタルコンテンツ配信システムによれば、請求項１記載のデジタルコンテンツ配信システムにおいて、前記受信機と前記携帯端末は、無線通信を行うようにしたので、無線通信により視聴者の携帯端末にデジタルコンテンツを配信することができるという効果がある。
【０１２０】
また、本発明の請求項１３によるデジタルコンテンツ配信方法によれば、放送波を用いて、広告コンテンツ、及びデジタルコンテンツを放送し、受信機により前記放送波を受信し、前記広告コンテンツを視聴者に対して表示すると共に、前記広告コンテンツの表示に同期して、前記デジタルコンテンツを携帯端末に配信し、前記携帯端末において前記受信機と通信を行い、前記デジタルコンテンツを受信し表示するようにしたので、広告コンテンツ視聴に伴い各種のデジタルコンテンツを視聴者の携帯端末に配信する付加価値を提供することにより、広告コンテンツそのものに対する視聴者の視聴意欲を高めることができるという効果がある。
【０１２１】
また、本発明の請求項１４によるデジタルコンテンツ配信方法によれば、請求項１３記載のデジタルコンテンツ配信方法において、前記携帯端末にて接続網を介して外部のサーバーと通信し、希望のデジタルコンテンツ配信時刻、及び指定チャネルを取得して、前記受信機に対して前記デジタルコンテンツ配信時刻、及び前記指定チャネルにおける前記デジタルコンテンツの配信予約を行うようにしたので、視聴者は期待のデジタルコンテンツが配信されるデジタルコンテンツ配信時刻、及び指定チャネルを簡単に知ることができ、また、受信機に対する配信予約を可能にすることにより、目的の広告コンテンツが放送される時刻に自動的に受信チャネルを切り替えることにより、視聴するタイミングを逃さないことができるという効果がある。また、広告主は、サーバー上に広告コンテンツを用意することにより、視聴者がデジタルコンテンツ配信時刻、及び指定チャネルを取得するために、サーバーにアクセスしたときに更に宣伝、広告効果を得ることができるという効果がある。
【０１２２】
また、本発明の請求項１５によるデジタルコンテンツ配信方法によれば、請求項１４記載のデジタルコンテンツ配信方法において、前記受信機にて、配信予約時刻になった時、あるいは該配信予約時刻の前に、画面表示またはアラームにより該配信予約時刻である旨を通知するようにしたので、配信予約時刻になったことを視聴者に知らせて、デジタルコンテンツ配信を受けるための携帯端末操作を行う準備を促したり、広告コンテンツ視聴を促すことができるという効果がある。
【０１２３】
また、本発明の請求項１６によるデジタルコンテンツ配信方法によれば、請求項１４記載のデジタルコンテンツ配信方法において、前記受信機にて、配信予約時刻になった時、あるいは該配信予約時刻の前に、前記携帯端末に対して、該配信予約時刻である旨を通知するようにしたので、配信予約時刻になったことを受信機から離れている視聴者に知らせて、デジタルコンテンツ配信を受けるための携帯端末操作を行う準備を促したり、広告コンテンツ視聴を促すことができるという効果がある。
【０１２４】
また、本発明の請求項１７によるデジタルコンテンツ配信方法によれば、請求項１３記載のデジタルコンテンツ配信方法において、前記受信機にて、画面表示あるいはアラームにより前記携帯端末の操作を促すメッセージを視聴者に通知し、該メッセージによる指示に従った場合にのみ前記デジタルコンテンツの配信を行うようにしたので、視聴者にデジタルコンテンツ配信を行う為の操作を促すことにより、視聴者に対して広告コンテンツの視聴を促すことができるという効果がある。
【０１２５】
また、本発明の請求項１８によるデジタルコンテンツ配信方法によれば、請求項１３記載のデジタルコンテンツ配信方法において、前記携帯端末を認証するための認証番号を前記受信機に登録し、前記受信機に登録された認証番号と、前記携帯端末が持つ認証番号とが一致した場合に、前記受信機にて前記デジタルコンテンツの配信を行うようにしたので、登録された認証番号を持つ携帯端末にのみデジタルコンテンツを配信することにより、デジタルコンテンツ配布を希望しない携帯端末へのデジタルコンテンツ配布を防ぐことができるという効果がある。
【０１２６】
また、本発明の請求項１９によるデジタルコンテンツ配信方法によれば、請求項１８記載のデジタルコンテンツ配信方法において、前記認証番号は、前記携帯端末に固有の番号、あるいは番号と文字の組み合わせであるようにしたので、正確に認証番号を用いて携帯端末の認証を行うことができるという効果がある。
【０１２７】
また、本発明の請求項２０によるデジタルコンテンツ配信方法によれば、請求項１８記載のデジタルコンテンツ配信方法において、前記携帯端末が持つ認証番号は、任意の番号、あるいは番号と文字の組み合わせが登録可能であるようにしたので、容易且つ正確に携帯端末に認証番号を登録することができるという効果がある。
【０１２８】
また、本発明の請求項２１によるデジタルコンテンツ配信方法によれば、請求項１３記載のデジタルコンテンツ配信方法において、前記携帯端末にて接続網を介して外部のサーバーと通信してデジタルコンテンツの配信を受けるための配信権利情報を取得し、前記受信機にて前記携帯端末から配信権利を保有するか否かを確認するための配信権利確認情報を取得し、前記配信権利情報と前記配信権利確認情報を整合して前記携帯端末が前記配信権利を保有する場合、前記デジタルコンテンツの配信を行うようにしたので、視聴者にデジタルコンテンツの配信を受けるための配信権利を与える代わりにインターネットによる広告コンテンツを閲覧すると、前記配信権利に基づいてデジタルコンテンツ配信を行うようにしたことにより、広告、宣伝効果を高めることができるという効果がある。
【０１２９】
また、本発明の請求項２２によるデジタルコンテンツ配信方法によれば、請求項２１記載のデジタルコンテンツ配信方法において、前記デジタルコンテンツ配信権利情報は、前記携帯端末が接続網を介してサーバーと通信し取得される情報であるようにしたので、あらかじめサーバーに記録されている情報をデジタルコンテンツ配信権利情報として用いることができるという効果がある。
【０１３０】
また、本発明の請求項２３によるデジタルコンテンツ配信方法によれば、請求項１３記載のデジタルコンテンツ配信方法において、前記携帯端末にて、前記広告コンテンツの視聴毎に前記受信機から視聴回数更新指示を受け取って広告視聴回数をカウントし、該広告視聴回数が外部のサーバーから受信した広告視聴規定回数に達している場合にのみ、デジタルコンテンツの配信を受けるようにしたので、視聴者に対して複数回数の広告コンテンツ視聴や複数の広告コンテンツ視聴を促して、広告、宣伝効果を高めることができるという効果がある。
【０１３１】
また、本発明の請求項２４によるデジタルコンテンツ配信方法によれば、請求項１３記載のデジタルコンテンツ配信方法において、前記受信機と前記携帯端末は、無線通信を行うようにしたので、無線通信により視聴者の携帯端末にデジタルコンテンツを配信することができるという効果がある。
【図面の簡単な説明】
【図１】本発明の実施の形態１によるデジタルコンテンツ配信システムの基本構成を示すブロック図である。
【図２】本発明の実施の形態１におけるデジタルコンテンツデータのフォーマットの一例を示す図である。
【図３】本発明の実施の形態１によるデジタルコンテンツ配信方法のフローチャート図である。
【図４】本発明の実施の形態２によるデジタルコンテンツ配信システムの基本構成を示すブロック図である。
【図５】本発明の実施の形態２によるデジタルコンテンツ配信方法のフローチャート図である。
【図６】本発明の実施の形態３によるデジタルコンテンツ配信システムの基本構成を示すブロック図である。
【図７】本発明の実施の形態３によるデジタルコンテンツ配信方法のフローチャート図である。
【図８】本発明の実施の形態４によるデジタルコンテンツ配信システムの基本構成を示すブロック図である。
【図９】本発明の実施の形態４によるデジタルコンテンツ配信方法のフローチャート図である。
【図１０】本発明の実施の形態５によるデジタルコンテンツ配信システムの基本構成を示すブロック図である。
【図１１】本発明の実施の形態５におけるデジタルコンテンツデータのフォーマットの一例を示す図である。
【図１２】本発明の実施の形態５によるデジタルコンテンツ配信方法のフローチャート図である。
【図１３】本発明の実施の形態６によるデジタルコンテンツ配信システムの基本構成を示すブロック図である。
【図１４】本発明の実施の形態６によるデジタルコンテンツ配信方法のフローチャート図である。
【図１５】本発明の実施の形態７によるデジタルコンテンツ配信システムの基本構成を示すブロック図である。
【図１６】本発明の実施の形態７におけるデジタルコンテンツデータのフォーマットの一例を示す図である。
【図１７】本発明の実施の形態７によるデジタルコンテンツ配信方法のフローチャート図である。
【図１８】本発明の実施の形態８によるデジタルコンテンツ配信システムの基本構成を示すブロック図である。
【図１９】本発明の実施の形態８におけるデジタルコンテンツデータのフォーマットの一例を示す図である。
【図２０】本発明の実施の形態８によるデジタルコンテンツ配信方法のフローチャート図である。
【符号の説明】
１　放送局
２ａ、２ｂ、２ｃ、２ｄ、２ｅ、２ｆ、２ｇ、２ｈ　受信機
３ａ、３ｂ、３ｃ、３ｄ、３ｅ、３ｆ、３ｇ、３ｈ　携帯端末
１１　受信手段
１２　表示手段
１３　一時記憶手段
１４　配信起動手段
１５　データ配信手段
２１　受信機用通信手段
２２　記憶手段
３１、９１　デジタルコンテンツデータ
３２、９２　ヘッダ情報領域
３３、９３　データ領域
３４、９５　デジタルコンテンツ配信時刻
３５、９６　指定チャネル
３６、９７　デジタルコンテンツ
４１　インターネット網
４２　サーバー
５１　外部通信手段
５２　配信予約手段
５３　配信予約制御手段
６１　配信予約時刻表示手段
７１　配信予約時刻通知手段
８１　配信手続き操作手段
８２　操作ボタン
９４　付加情報領域
９８　手順プログラム
１０１　認証番号登録手段
１０２　携帯端末限定手段
１０３　認証番号保持手段
１１１　配信権利確認手段
１１２　配信権利情報保持手段
１２１　配信権利確認情報
１３１　配信許可手段
１３２　視聴回数カウント手段
１４１　広告視聴規定回数
【図１】
2004056666.tif 000003
【図２】
2004056666.tif 000004
【図３】
2004056666.tif 000005
【図４】
2004056666.tif 000006
【図５】
2004056666.tif 000007
【図６】
2004056666.tif 000008
【図７】
2004056666.tif 000009
【図８】
2004056666.tif 000010
【図９】
2004056666.tif 000011
【図１０】
2004056666.tif 000012
【図１１】
2004056666.tif 000013
【図１２】
2004056666.tif 000014
【図１３】
2004056666.tif 000015
【図１４】
2004056666.tif 000016
【図１５】
2004056666.tif 000017
【図１６】
2004056666.tif 000018
【図１７】
2004056666.tif 000019
【図１８】
2004056666.tif 000020
【図１９】
2004056666.tif 000021
【図２０】
2004056666.tif 000022